(57)【要約】【課題】  建替対象となる電柱に張架されている電線の種類に拘わらず、仮電柱を設置することなく電柱の建替工事を安全に行え、かかる工事の作業効率の向上およびコストの低減が可能な電柱建替工具および電柱建替方法を提供する。【解決手段】  少なくとも高圧電線１０４や低圧電線１０６などの電線１０２、または通信線１０８のいずれかを張架する電柱１００を撤去し、電柱が設置されていた位置に新しい電柱を設置するための電柱建て替え工事に用いる電柱建替工具２００であって、支柱２１０と、一端を支柱に他端を電柱に固定可能な電柱固定具２２０と、支柱の頂部に配置され、当該電柱建替工具をクレーンのフックで吊下げるための吊下げ金具２３０と、電柱に張架されていた電線または通信線を保持する保持具と、保持具を着脱可能であり、かつ支柱に着脱可能な腕金（２５２、２５４、２５６）と、を備えることを特徴とする。【選択図】  図３
2010041798.tif 000002
【特許請求の範囲】
【請求項１】
少なくとも高圧電線や低圧電線などの電線、または通信線のいずれかを張架する電柱を撤去し、該電柱が設置されていた位置に新しい電柱を設置するための電柱建て替え工事に用いる電柱建替工具であって、
支柱と、
一端を前記支柱に他端を前記電柱に固定可能な電柱固定具と、
前記支柱の頂部に配置され、当該電柱建替工具をクレーンのフックで吊下げるための吊下げ金具と、
前記電柱に張架されていた前記電線または通信線を保持する保持具と、
前記保持具を着脱可能であり、かつ前記支柱に着脱可能な腕金と、を備えることを特徴とする電柱建替工具。
【請求項２】
前記電線を保持する保持具は、複数のローラを組み合わせて、該電線を挿通する空間を囲い込む三面ローラであり、
前記ローラは、回転可能な状態で前記電線の荷重を支持することを特徴とする請求項１に記載の電柱建替工具。
【請求項３】
前記通信線を保持する保持具は、下端がＵ字型を成す線材を有するクランプであり、
前記クランプに前記通信線に沿う縒線を張架し、前記線材が縒線を摺動可能に支持することにより、該クランプは該通信線を保持することを特徴とする請求項１または２に記載の電柱建替工具。
【請求項４】
当該電柱建替工具は更に、前記高圧電線を中継して一時的に高圧電流を流通させるバイパスケーブルを支持するバイパスケーブル支持部を備えることを特徴とする請求項１から３に記載のいずれか１項に記載の電柱建替工具。
【請求項５】
前記支柱は、複数の前記電線を支持する電線支持部と、共架物たる複数の前記通信線を支持する共架物支持部との間に、該支柱の軸方向に伸縮可能な伸縮部を備えることを特徴とする請求項１から４のいずれか１項に記載の電柱建替工具。
【請求項６】
前記支柱は、複数に分割可能であることを特徴とする請求項１から５に記載のいずれか１項に記載の電柱建替工具。
【請求項７】
前記支柱は、ロープを取り付けるための環状部を有することを請求項１から６に記載のいずれか１項に記載の電柱建替工具。
【請求項８】
前記電柱固定具は、水平方向に伸縮可能であることを特徴とする請求項１から７に記載のいずれか１項に記載の電柱建替工具。
【請求項９】
前記電柱固定具は、前記支柱側の端部近傍において、水平方向に回動可能であることを特徴とする請求項１から８に記載のいずれか１項に記載の電柱建替工具。
【請求項１０】
少なくとも高圧電線や低圧電線などの電線、または通信線のいずれかを張架する電柱を撤去し、該電柱が設置されていた位置に新しい電柱を設置するための電柱建て替え工事に用いる電柱建替方法であって、
前記電線または通信線のいずれかを張架する電柱に、請求項１〜９のいずれか１項に記載の前記電柱建替工具を取り付け、
前記電柱に張架されていた電線または通信線を前記電柱建替工具に保持させ、
当該電柱建替工具をクレーンで吊下げて前記電線または通信線の荷重を支持し、
前記電柱立替工具を前記電柱から取り外し、
前記電柱を撤去し、
新しい電柱を設置し、
前記電柱立替工具を前記新しい電柱に取り付け、
前記電柱建替工具から前記新しい電柱に前記電線または通信線を移設することを特徴とする電柱建替方法。
【発明の詳細な説明】
【技術分野】
【０００１】
本発明は、電柱の建替工事のための電柱建替工具および電柱建替方法に関するものである。
【背景技術】
【０００２】
電線を張架する電柱は、交通事故によって損傷したり、電線の張力に負けて傾いたり、経年等により老朽化した場合等、電柱の交換が必要となる場合がある。このような場合には、既設の電柱を撤去し、新しい電柱を設置する電柱建替工事が行われる。この際、電柱周辺の既設建造物の存在や、張架されている電線の配線等の都合上、新しい電柱は、撤去される電柱と同じ位置、すなわち元位置に設置されることが多い。
【０００３】
図１１は、従来の電柱建替工事を説明する図である。図１１（ａ）に示す電柱１０（電柱１０ａ、１０ｂ、および１０ｃ）のうち、電柱１０ｂを建て替える場合、従来の電柱建替工事ではまず図１１（ｂ）に示すように、建替対象となる電柱１０ｂに隣接する位置（電柱１０ｂ付近）に仮電柱１２を設置する。そして、電柱１０ｂに装柱されていた電線１４等を、仮電柱１２に移設する。
【０００４】
次に図１１（ｃ）に示すように電柱１０ｂを撤去し、図１１（ｄ）に示すように電柱１０ｂがあった位置（元位置）に新しい電柱１０ｄを設置する。その後、図１１（ｅ）に示すように仮電柱１２を撤去し、電柱建替工事が完了する。
【０００５】
しかし、上述した従来の電柱建替工事では、工事の際には必ず仮電柱が必要だったため、１本の電柱を立て替えるために２本分の電柱の設置と撤去が必要であった。このため、仮電柱の設置および撤去の作業に時間と費用を要し、作業効率の低下およびコストの増大を招いていた。また、仮電柱を設置するには、設置する土地を一時的に借用するための占用許可が必要であり、かかる許可を取得するための煩雑な手続が不可欠であった。更には、工事現場の面積が狭小な場合には、仮電柱が設置できないという問題もあった。
【０００６】
上記のような電柱建替工事に関する技術として、例えば特許文献１には、本体と、建て替え対象の電柱を挟む２本の電柱に仮設されたメッセンジャーワイヤーに取り付けられるメッセンジャーワイヤー用クランプと、その下方に建て替え対象の電柱に架設されている電線を保持する碍子とを備える電線建替補助具、およびかかる電線建替補助具を用いた電柱建替方法が開示されている。これによれば、簡易な作業且つ低コストで電柱の建替工事を補助することが可能であるとしている。
【特許文献１】特開２００７−１９５３５７号公報
【発明の開示】
【発明が解決しようとする課題】
【０００７】
上記の特許文献１に記載の技術では、一部の電柱建替工事では、仮電柱を設置せずに行うことが可能となった。これにより、上述した仮電柱の設置に纏わる作業効率やコスト等の問題を大幅に改善することができた。しかし、建替対象となる電柱に張架されている電線の種類によっては、特許文献１に記載の技術を適用できない場合があった。
【０００８】
かかる技術が適用できない電柱の例として、高圧電線および低圧電線の両方が張架されている電柱が挙げられる。ここで、電柱に張架されている電線は、流れている電気の電圧によって、低圧電線と高圧電線の２種類に大別される。低圧電線とは、低圧、すなわち１００Ｖ（電灯線）や２００Ｖ（動力線）の電気が流れている電線のことであり、高圧電線とは、高圧、すなわち６６００Ｖの電気が流れている電線のことである。
【０００９】
上記の高圧電線および低圧電線の両方が張架されている電柱の建替工事を行う場合には、かかる両方の電線を特許文献１に記載の電線建替補助具に張架しなければ工事を行うことができない。しかし、法令（例えば労働安全衛生規則など）の解釈によれば、同一の金物に高圧電線および低圧電線の両方を張架することはできない。したがって、上記の電柱の建替工事には、特許文献１に記載の電線建替補助具を用いることができない。または、高圧または低圧の電力のいずれかを遮断しなくてはならない。
【００１０】
また他の課題として、電線の地上からの高さの確保が挙げられる。法令（例えば電気設備に関する技術基準を定める省令など）の解釈によれば、電線の地上からの高さは所定高さ（例えば５ｍ）を確保する必要がある。特許文献１に記載の電線建替補助具は、建替対象となる電柱に隣接する２本の電柱の間に架設されたメッセンジャーワイヤーに取り付けられる。電柱の間隔は一般に３０〜４０ｍ程度あり、メッセンジャーワイヤーはその倍の長さになるために、電線建替補助具の地上高さを高く保つことが困難である。また隣接する電柱にかかる荷重が過大となり、両側に隣接する電柱に多大な負荷がかかってしまう。
【００１１】
また隣接する電柱によって電線建替補助具を吊下するとすれば、不安定であるため長時間（例えば数日）その状態を維持することが難しく、短時間（例えば一日）のうちに作業を完了させる必要がある。一方、電線の移設は電力会社が行うが、共架物たる通信線の移設は各通信会社が行う。また電力会社においても、電線の工事と電柱の設置工事とでは技術の乖離が大きいため、工事班が別々である場合が多い。しかして、複数の事業者や工事班が同時に集合して一斉に作業することは日程調整が極めて困難であり、また待ち時間が多くなるため効率的でない。
【００１２】
本発明は、このような課題に鑑み、建替対象となる電柱に張架されている電線の種類にかかわらず、仮電柱を設置することなく電柱の建替工事を安全に行うことができ、かつ工事の作業効率の向上およびコストの低減が可能な電柱建替工具および電柱建替方法を提供することを目的としている。
【課題を解決するための手段】
【００１３】
上記課題を解決するために、本発明にかかる電柱建替工具の代表的な構成は、少なくとも高圧電線や低圧電線などの電線、または通信線のいずれかを張架する電柱を撤去し、電柱が設置されていた位置に新しい電柱を設置するための電柱建て替え工事に用いる電柱建替工具であって、支柱と、一端を支柱に他端を電柱に固定可能な電柱固定具と、支柱の頂部に配置され、当該電柱建替工具をクレーンのフックで吊下げるための吊下げ金具と、電柱に張架されていた電線または通信線を保持する保持具と、保持具を着脱可能であり、かつ支柱に着脱可能な腕金と、を備えることを特徴とする。
【００１４】
上記構成では、建替対象となる電柱に張架されていた電線および通信線は当該電柱建替工具の保持具に保持される。そして、吊下げ金具にクレーンのフックを掛合し、電線および通信線を保持した電柱建替工具をクレーンで吊下げ、その間に建替対象となる電柱の撤去および新しい電柱の設置を行う。これにより、仮電柱を設置することなく電柱の建替工事を行うことができる。したがって、仮電柱の設置および撤去の作業に要する時間と費用を削減し、作業効率の向上およびコストの低減を図ることが可能となる。
【００１５】
また当該電柱建替工具による設置方法によれば、電柱立替工具をクレーンで吊り下げるのは既設電柱を抜くときから新しい電柱を設置するまでの間だけでよく、電線や通信線の移設作業の間は電柱立替工具を電柱に固定しておくことができる。したがって移設作業の日程が長期間に亘る場合においても、安定した状態を維持することができる。
【００１６】
上記の電線を保持する保持具は、複数のローラを組み合わせて電線を挿通する空間を囲い込む三面ローラであり、ローラは、回転可能な状態で電線の荷重を支持するとよい。
【００１７】
かかる構成では、電線は保持具である三面ローラに保持される。かかる三面ローラには電線を挿通する空間が存在するため、電線はローラに挟持されるのではなく、ローラに乗った状態になる。ローラは個々に回転可能な状態であり、電線の荷重を支持するのみであって、電線は水平方向に滑らかに移動可能であるため、挟持による電線の被覆の損傷を防止し、電線の破損を防ぐことができる。更に、保持された電線の荷重はローラにかかるため、隣接する電柱にかかる引張荷重（負荷）を低減することができる。
【００１８】
上記の通信線を保持する保持具は、下端がＵ字型を成す線材を有するクランプであり、クランプに通信線に沿う縒線（より線）を張架し、線材が縒線を摺動可能に支持することにより、クランプは通信線を保持するとよい。
【００１９】
一般的に通信線は屈折等により損傷が生じやすい。このため、通信線に縒線を沿わせ、かかる通信線の形状を維持しやすくすることで損傷の発生を防止している。したがって、上記構成では、かかる縒線を保持具であるクランプに張架し、通信線を間接的に保持する。これにより、通信線を直接保持することによる損傷の発生を防止することができる。
【００２０】
当該電柱建替工具は更に、高圧電線を中継して一時的に高圧電流を流通させるバイパスケーブルを支持するバイパスケーブル支持部を備えるとよい。
【００２１】
バイパスケーブルとは、電線を流れる電流を一時的に迂回（バイパス）して流通させるケーブルである。かかるバイパスケーブルは芯線を何重もの被覆で被装しているため、高圧電線よりも絶縁性および安全性が高い。このため、バイパスケーブルは他の電線と共に補助具等に張架することが可能である。
【００２２】
したがって、上記構成では、建替対象となる電柱と隣接する電柱との間で切断した高圧電線、すなわち隣接する電柱に張架された状態となった高圧電線の切断部分をバイパスケーブルに接続し、バイパスケーブルをバイパスケーブル支持部に支持させる。そして、切断後に建替対象の電柱に張架されている、電流が流れていない高圧電線を電柱建替工具に移設する。これにより、高圧電線および低圧電線の両電線を、高圧電流を遮断することなく当該電柱建替工具に保持させることが可能となる。
【００２３】
上記の支柱は、複数の電線を支持する電線支持部と、共架物たる複数の通信線を支持する共架物支持部との間に、該支柱の軸方向に伸縮可能な伸縮部を備えるとよい。
【００２４】
電柱への電線および通信線の張架において、電線は、先に述べた地上からの高さが所定高さであり、且つ電柱の上端から所定の距離の位置に配置される。また通信線は、電柱の地上から所定の高さの位置に配置される。したがって、電柱において、電線が配置されている位置から通信線が配置されている位置までの距離（間隔）は電柱の長さに応じて異なることとなる。
【００２５】
これに対し上記構成では、支柱が、電線支持部と共架物支持部とから構成され、かかる電線支持部と共架物支持部との間に軸方向に伸縮可能な伸縮部を備える。したがって、電線が配置されている位置から通信線が配置されている位置までの距離が建替対象の電柱ごとに異なったとしても、伸縮部を伸縮するだけで対応することが可能となる。これにより、保持具を装着した腕金を支柱から脱着しての位置変更等の作業を行う必要がなく、作業を円滑かつ効率的に行うことができる。
【００２６】
上記の支柱は、複数に分割可能であるとよい。
【００２７】
例えば支柱が分割可能でない場合、その全長は６ｍ以上となる場合がある。その結果、作業現場等への運搬の際の車両の積載制限を超過してしまい、当該電柱建替工具の車両による運搬が困難になる。したがって、上記の構成によれば、支柱を複数に分割し、車両の積載制限を超過することなく当該電柱建替工具を運搬することが可能になる。また、支柱が複数に分割されていることで、支柱の取り扱い時の傾倒等のおそれがなく、作業性を向上することができる。
【００２８】
上記の支柱は、ロープを取り付けるための環状部を有するとよい。
【００２９】
上記構成では、例えば電柱上で作業を行う作業員の補助ロープ（安全帯）を環状部に取り付けることができる。これにより、高所で作業を行う作業員の安全性を向上することができる。また上記の環状部にロープを取り付け、かかるロープにクレーンのフックを引っ掛け、当該電柱建替工具を吊下げることも可能である。
【００３０】
上記の電柱固定具は、水平方向に伸縮可能であるとよい。
【００３１】
これにより、電柱に張架されている電線または通信線の当該電柱からの距離が、建替対象の電柱ごとに異なったとしても、電柱固定具を伸縮するだけで対応することが可能となる。また既設の電柱が傾いてしまっていた場合に、新しい電柱に対して上下で間隔が異なってしまう場合があるが、電柱固定具の水平方向の伸縮により対応することができる。
【００３２】
上記の電柱固定具は、支柱側の端部近傍において、水平方向に回動可能であるとよい。
【００３３】
かかる構成により、電柱固定具を電柱から取り外した後に、電柱固定具の電柱側を電柱から離隔させることができる。これにより既設電柱の撤去および新しい電柱の設置作業において電柱固定具が邪魔になることを防止し、作業性を向上させることができる。
【００３４】
上記課題を解決するために、本発明にかかる電柱建替方法の代表的な構成は、少なくとも高圧電線や低圧電線などの電線、または通信線のいずれかを張架する電柱を撤去し、電柱が設置されていた位置に新しい電柱を設置するための電柱建て替え工事に用いる電柱建替方法であって、電線または通信線のいずれかを張架する電柱に、上記の電柱建替工具を取り付け、電柱に張架されていた電線または通信線を電柱建替工具に保持させ、当該電柱建替工具をクレーンで吊下げて電線または通信線の荷重を支持し、電柱立替工具を電柱から取り外し、電柱を撤去し、新しい電柱を設置し、電柱立替工具を新しい電柱に取り付け、電柱建替工具から新しい電柱に電線または通信線を移設することを特徴とする。
【００３５】
上述した電柱建替工具の技術的思想に基づく構成要素やその説明は、当該電柱建替方法にも適用可能である。
【発明の効果】
【００３６】
本発明によれば、建替対象となる電柱に張架されている電線の種類に拘わらず、仮電柱を設置することなく電柱の建替工事を安全に行うことができ、かつ工事の作業効率の向上およびコストの低減を図ることが可能な電柱建替工具および電柱建替方法を提供することができる。
【発明を実施するための最良の形態】
【００３７】
以下に添付図面を参照しながら、本発明の好適な実施形態について詳細に説明する。かかる実施形態に示す寸法、材料、その他具体的な数値などは、発明の理解を容易とするための例示にすぎず、特に断る場合を除き、本発明を限定するものではない。なお、本明細書及び図面において、実質的に同一の機能、構成を有する要素については、同一の符号を付することにより重複説明を省略し、また本発明に直接関係のない要素は図示を省略する。
【００３８】
以下の実施形態では、理解を容易にするため、最初に本実施形態にかかる電柱建替方法を説明し、次に電柱建替工具の詳細を説明する。
【００３９】
［電柱建替方法］
図１は電柱建替方法を説明する図、図２は電柱立替方法を説明するフローチャートである。図１に示すように、電柱１００には、地上から所定高さ、且つ電柱１００の上端から所定の距離の位置に、電線１０２が配置（張架）されている。かかる電線１０２は、電柱１００の上端から、高圧（例えば６６００Ｖ）の電気が流れている高圧電線１０４、低圧（例えば１００Ｖや２００Ｖ）の電気が流れている低圧電線１０６の順に配置（張架）されている。また電柱１００の地上から所定の高さの位置には、通信線１０８、例えば電話線やＣＡＴＶのケーブル、インターネットに接続するための光ケーブル等が配置（張架）されている。
【００４０】
図１（ａ）に示す電柱１００（電柱１００ａ、１００ｂ、および１００ｃ）のうち例えば電柱１００ｂを建て替える場合、まず図１（ｂ）に示すように、本実施形態にかかる電柱建替工具２００を、建替対象となる電柱１００ｂに取り付ける（Ｓ１０２）。次に後述するように高圧電線１０４を切断し、バイパスケーブルで高圧電流を中継する（Ｓ１０４）。そして、電柱１００ｂに装柱されていた電線１０２（高圧電線１０４、低圧電線１０６）を電柱建替工具２００に移設し（Ｓ１０６）、同様に通信線１０８等の共架物も移設する（Ｓ１０８）。
【００４１】
移設が完了した後、図１（ｃ）に示すように電柱建替工具２００をクレーンで吊下げ、電線１０２または通信線１０８の荷重を支持する（Ｓ１１０）。そして、電柱建替工具２００をクレーンで吊下げている間に、電柱建替工具２００を電柱１００ｂから取り外し（Ｓ１１２）、何も取り付けられていないようになった電柱１００ｂを撤去する（Ｓ１１４）。図１（ｄ）に示すように電柱１００ｂがあった位置（元位置）に新しい電柱１００ｄを設置し（Ｓ１１６）、その位置に吊り下げられていた電柱建替工具２００を新しい電柱に取り付け固定し（Ｓ１１８）、クレーンは退去する。その後、電柱建替工具２００に移設していた電線１０２（高圧電線１０４、低圧電線１０６）を新しい電柱１００ｄに移設し（Ｓ１２０）、高圧電線１０４を接続してバイパスケーブルを撤去する（Ｓ１２２）。同様に、通信線１０８等の共架物も電柱建替工具２００から新しい電柱１００ｄに移設する（Ｓ１２４）。最後に図１（ｅ）に示すように電柱建替工具２００を撤去すると（Ｓ１２６）、電柱建替工事が完了する。
【００４２】
［電柱建替工具］
以下に本実施形態にかかる電柱建替工具２００の詳細を説明する。図３は、本実施形態にかかる電柱建替工具２００を説明する図であり、図３（ａ）は電柱建替工具２００の正面図であり、図３（ｂ）は電柱建替工具２００の側面図である。以下、電柱建替工具を単に工具と称する。
【００４３】
図３（ａ）および図３（ｂ）に示すように、電柱建替工具２００（以下、「工具２００」と略す）は、支柱２１０と、電柱固定具２２０と、吊下げ金具２３０と、保持具の例としての三面ローラ２４１およびクランプ２４８と、腕金（２５２、２５４、２５６）と、バイパスケーブル支持部２６０と、環状部２７０と、を含んで構成される。また工具２００は、電線支持部２９０と、共架物支持部２９６とに区分することができ、更に電線支持部２９０は高圧電線支持部２９２と、低圧電線支持部２９４とに細分することができる。
【００４４】
支柱２１０は工具２００における縦材であって、例えば円筒の鋼管で構成することができる。かかる支柱２１０は、電柱固定具２２０、腕金（２５２、２５４、２５６）、およびバイパスケーブル支持部２６０を着脱可能である。なお、支柱２１０以外の部材については後に詳述する。
【００４５】
図４は、支柱２１０の詳細を説明する図である。図４に示すように、支柱２１０は、その頂部に吊下げ金具２３０を有し、その側面に環状部２７０を有する。吊下げ金具２３０および環状部２７０については後述する。
【００４６】
また、支柱２１０は、支柱２１０ａ、２１０ｂ、２１０ｃ、２１０ｄのように、複数に分割可能である。隣接する支柱２１０ａ〜ｄは径が異なっており、一の支柱の端に他の支柱を挿入可能であって、これらの重複部分において軸方向と直交する方向に固定穴が設けられている。そして、この固定穴にボルトを貫通することによって２つの支柱を固定することができる。これにより、支柱２１０の取り扱いが容易になり、且つ車両の積載制限を超過することなく支柱２１０（工具２００）を運搬することができる。なお、かかる分割数は一例でありこれに限定されるものではない。
【００４７】
なお、図３（ａ）に示すように、支柱２１０ａには高圧電線支持部２９２が配置され、支柱２１０ｂには低圧電線支持部２９４が配置されている。そして４本目の支柱２１０ｄには、共架物支持部２９６が配置されている。そして図４に示すように、支柱２１０ｃには多数の固定穴２１２が設けられており、支柱２１０ｃに対する支柱２１０ｄの固定位置は選択可能となっている。すなわちかかる部位が伸縮部２８０であり、伸縮部２８０は、電線支持部２９０と共架物支持部２９６との間に設けられている。換言すれば、伸縮部２８０は電線支持部２９０と共架物支持部２９６の距離を調節することができる。
【００４８】
したがって、電線１０２が配置されている位置から通信線１０８が配置されている位置までの距離が建替対象の電柱１００ごとに異なったとしても（電柱の長さが異なっていたとしても）、伸縮部２８０を伸縮するだけで対応可能であり、作業の円滑化および効率化を図ることができる。
【００４９】
図５は、電柱固定具２２０の詳細を説明する図であり、図５（ａ）は電柱固定具２２０の正面図、図５（ｂ）は電柱固定具２２０の側面図である。電柱固定具２２０は、一端を支柱２１０に、他端を電柱１００に固定可能であり、支柱２１０（工具２００）を電柱１００に取り付けるための部材（横材）である。これにより、工具２００を電柱１００へ固定（取付）できるため、電線等の移設作業が長期間に亘る場合においても、安定した状態を維持することができる。
【００５０】
図５（ａ）および（ｂ）に示すように、電柱固定具２２０は、２本のアーム２２２ａ、２２２ｂと、電柱取付部２２６と、支柱取付部２２８とを備える。かかる電柱取付部２２６に電柱１００を挿嵌して固定し、支柱取付部２２８に支柱２１０を挿嵌して固定することで、工具２００を電柱１００に取り付けることができる。
【００５１】
アーム２２２ａはアーム２２２ｂに挿入可能であって、アーム２２２ｂには固定穴２２４が設けられ、アーム２２２ａには固定ピン２２５を挿通可能な長穴２２３が設けられている。これにより、アーム２２２ａまたはアーム２２２ｂを水平方向（図５（ａ）の実線矢印方向）に摺動させることができ、電柱固定具２２０は水平方向に伸縮可能となる。したがって、電線１０２または通信線１０８の電柱１００からの距離がかかる電柱１００ごとに異なった場合や、電線１０２が緊張した状態または弛張した状態のいずれの場合においても、電柱固定具２２０を伸縮するだけで対応することが可能となる。
【００５２】
更に、支柱取付部２２８は水平方向（図５（ａ）の破線矢印方向）に回動可能である。構造の具体例としては、回転軸２２８ａによってアーム２２２ｂと支柱取付部２２８は水平方向に回動可能となっており、さらに支柱取付部２２８には複数の固定穴２２８ｂが設けられ、ボルト２２５を貫通させることによってその回動を規制することができる。これにより、当該電柱固定具２２０は、支柱２１０側の端部近傍において水平方向に回動可能となる。したがって、電柱固定具を電柱から取り外した後に、電柱固定具の電柱側を電柱から離隔させることができる。これにより既設電柱の撤去および新しい電柱の設置作業において電柱固定具が邪魔になることを防止し、作業性を向上させることができる。
【００５３】
吊下げ金具２３０は、工具２００をクレーンのフックで吊下げるための部材であり、支柱２１０の頂部に配置される。これにより、かかる吊下げ金具２３０にクレーンのフックを掛合し、工具２００をクレーンで吊下げることが可能となり、工具２００を吊下げている間に建替対象となる電柱１００の撤去および新しい電柱の設置をし、仮電柱を設置することなく電柱の建替工事を行うことができる。
【００５４】
保持具は、電線１０２を保持する保持具である三面ローラ２４１と、通信線１０８を保持する保持具であるクランプ２４８とから構成される。図６は保持具の詳細を説明する図であり、図６（ａ）は保持具としての三面ローラ２４１の図、図６（ｂ）は保持具としてのクランプ２４８の図である。
【００５５】
三面ローラ２４１は、電線１０２（高圧電線１０４、低圧電線１０６）を保持する。図６（ａ）に示すように、三面ローラ２４１は複数のローラ２４２ａ〜２４２ｃを組み合わせてなり、電線１０２を挿通する空間を有する。かかる空間の存在により、ローラ２４２ｃは電線１０２の荷重を受けるだけであり、挟持はしないこととなる。ローラ２４２は個々に回転可能な状態であり、電線１０２の荷重を支持するのみであって、電線１０２は水平方向には滑らかに移動可能となっている。これにより、電線１０２をローラ２４２に掛架された状態とし、電線１０２の被覆の損傷を防止することができる。
【００５６】
上記の複数のローラ２４２ａ〜２４２ｃのうち、ローラ２４２ａとローラ２４２ｂは接続板２４３ａにより、ローラ２４２ｂとローラ２４２ｃは接続板２４３ｂにより接続されている。
【００５７】
ローラ２４２ａの軸であるピン２４５は、一端を回動部２４４に接続されており、他端は接続板２４３ａに着脱可能に固定されている。したがって、ピン２４５を外し、回動部２４４を実線矢印方向に移動（回動）すると、ローラ２４２ａは破線矢印方向に開閉する。これにより、電柱１００に張架されている電線１０２を三面ローラ２４１内の空間内に収容することができる。そして、回動部２４４およびローラ２４２ａを矢印と反対方向に移動させることで、三面ローラ２４１は閉状態となり、電線１０２は三面ローラ２４１に保持される。
【００５８】
図６（ｂ）に示すクランプ２４８は、通信線１０８に沿う縒線１０９を保持する（図６において通信線は不図示）。クランプ２４８は、下端がＵ字型を成す線材２４８ａと、係止具２４８ｂから構成される。線材２４８ａのナットを緩めて矢印方向に移動すると、線材２４８ａのＵ字部分の先端が係止具２４８ｂから抜けて、開状態となる。そして、Ｕ字部分に、通信線１０８に沿う縒線１０９を張架する。そしてナットを締めて係止具２４８ｂを矢印の反対方向に移動し、Ｕ字部分を閉状態とする。これにより、クランプ２４８は、縒線１０９を摺動可能に支持し、通信線１０８を間接的に保持することができる。したがって、通信線１０８を直接保持することによる損傷の発生を防止することが可能になる。
【００５９】
図７は、腕金（２５２、２５４、２５６）の詳細を説明する図である。図７（ａ）は腕金（大）２５２の平面図、図７（ｂ）は腕金（中）２５４の平面図であり、図７（ｃ）は腕金（小）２５６の平面図、図７（ｄ）は腕金（中）２５４を連結した図である。なお各腕金（２５２、２５４、２５６）の差異点はその長さであって、機構および役割に基本的な差異はない。
【００６０】
腕金（２５２、２５４、２５６）は、当該工具２００における横材であって、例えば角筒の鋼管で構成することができる。かかる腕金（２５２、２５４、２５６）は、保持具（三面ローラ２４１、クランプ２４８）を着脱可能であり、かつ支柱２１０に着脱可能である。したがって、電線１０２または通信線１０８を保持具に保持させ、かかる保持具を装着した腕金（２５２、２５４、２５６）を支柱２１０に取り付けることで、支柱２１０（工具２００）に電線１０２または通信線１０８を支持させることが可能となる。
【００６１】
図７（ａ）に示すように、腕金（大）２５２は、上下面（支柱に取り付けた際に上になる面）に複数のボルト穴２５７を有し、保持具をかかるボルト穴２５７を用いて固定することで、保持具を取り付けられる。また、腕金（大）２５２は、腕金連結金具２５８に嵌通された後に、同様にボルト穴２５７を用いて腕金連結金具２５８に固定される。そして、腕金連結金具２５８のＵボルト２５９で支柱２１０を締め付けることで、腕金（大）２５２は支柱２１０に取り付けられる。なお、ここでは腕金（大）２５２を例に挙げて説明したが、図７（ｂ）に示す腕金（中）２５４、および図７（ｃ）に示す腕金（小）２５６においても同様の構成を有する。
【００６２】
また、長さの異なる腕金（大）２５２、腕金（中）２５４、腕金（小）２５６を組み合わせて用いることにより、架設する電線または通信線にあわせて所望の長さの腕金を設置することができる。さらに図７（ｄ）および図３（ａ）の共架物支持部２９６に示すように、複数の腕金を連結することにより、さらに自由に腕金の長さを設定することができる。したがって、腕金の部材数を最小限の３種類とし、腕金にかかるコストを削減することが可能となる。
【００６３】
バイパスケーブル支持部２６０は、高圧電線１０４に接続されて一時的に高圧電流を流通させるバイパスケーブルを支持する。かかるバイパスケーブル支持部２６０は支柱２１０に着脱可能である。なおバイパスケーブル支持部２６０は、役割としてはバイパスケーブルを架設し、かつ支柱上の位置としては低圧電線支持部２９４内に配置されているが、機構としては共架物支持部２９６における腕金と同様にクランプ２４８を備えている。
【００６４】
上述したように、高圧電線１０４は、電流が流れている状態（充電状態）で低圧電線１０６等と同一の金物に張架することができない。したがって、まず隣接する電柱の近傍で高圧電線１０４を切断し、これに流れていた高圧電流を、高圧電線１０４よりも絶縁性および安全性が高いバイパスケーブルに接続する。電流の流れていない高圧電線１０４は、バインド線等によって連結しておく。そして、バイパスケーブルをバイパスケーブル支持部２６０に支持させ、電流が流れていない状態となった高圧電線１０４を保持具（三面ローラ２４１）に保持させる。これにより、電柱建替工事に伴う高圧電流の遮断は極めて短時間にすることができ、且つ高圧電線１０４および低圧電線１０６の両電線１０２を、当該工具２００に張架（支持）することが可能となる。
【００６５】
環状部２７０は、支柱２１０に設けられており、ロープを取り付けるための部材である。これにより、例えば作業員の補助ロープ（安全帯）を環状部２７０に取り付け、高所における作業の安全性を向上することができる。
【００６６】
次に、上記に説明した部材から構成される工具２００における電線支持部２９０および共架物支持部２９６について説明する。上述した如く、工具２００は、電線支持部２９０と共架物支持部２９６とに区分でき、電線支持部２９０は、高圧電線支持部２９２と低圧電線支持部２９４とに細分できる（図３（ａ）参照）。
【００６７】
図８は、高圧電線支持部２９２を説明する図である。高圧電線支持部２９２は、高圧電線１０４を支持（保持）する。高圧電線支持部２９２は、吊下げ金具２３０を備える支柱２１０ａを縦材とする。かかる支柱２１０ａに取り付けられる横材としての腕金（大）２５２には、保持具として三面ローラ２４１が装着される。なお、図８においては腕金として腕金（大）２５２を用いているが、これに限定されるものではなく、必要に応じて他の腕金（２５４、２５６）を用いることも可能である。
【００６８】
図９は、低圧電線支持部２９４を説明する図である。低圧電線支持部２９４は、低圧電線１０６を支持（保持）する。低圧電線支持部２９４は、支柱２１０ｂを縦材とする。図９において低圧電線支持部２９４に用いられる横材としては腕金（中）２５４および腕金（小）２５６が用いられているが、これに限定されるものではなく、腕金（大）２５２を用いることもできる。
【００６９】
低圧電線支持部２９４では、保持具として、低圧電線１０６、すなわち電線１０２を保持する三面ローラ２４１が、腕金（中）２５４および腕金（小）２５６に装着される。また、支柱２１０ｂには、バイパスケーブル支持部２６０も取り付けられる。
【００７０】
図１０は、共架物支持部２９６を説明する図である。共架物支持部２９６は、電柱１００における共架物たる複数の通信線１０８を支持（保持）する。共架物支持部２９６は、支柱２１０ｄを縦材とする。かかる支柱２１０ｄに取り付けられる横材としては腕金（中）２５４および腕金（小）２５６が用いられているが、これに限定されるものではなく、腕金（大）２５２を用いることもできる。また共架物支持部２９６では、保持具として、通信線１０８を保持するクランプ２４８が、腕金（中）２５４および腕金（小）２５６に装着される。
【００７１】
上記説明した如く、本実施形態にかかる工具２００によれば、電柱１００に張架されていた電線１０２および通信線１０８は当該工具２００の保持具に保持され、吊下げ金具２３０を用いて工具２００をクレーンで吊下げることができる。これにより、工具２００を吊下げている間に建替対象となる電柱１００の撤去および新しい電柱の設置を行えるため、仮電柱１２を設置することなく電柱１００の建替工事を行うことが可能である。したがって、仮電柱１２に纏わる時間と費用を削減し、作業効率の向上およびコストの低減を図ることができる。
【００７２】
また、工具２００を電柱固定具２２０によって建替対象となる電柱へ固定（取付）できるため、長期間において安定した状態を維持することが可能である。したがって、電力会社が電線を移設し、通信会社が通信線を移設し、また工事班が電柱の差し替えをするなど、複数の事業者や工事班が作業に携わるにしても、日程の調整が容易となり、待ち時間も発生しないために、効率的に作業を行うことができる。
【００７３】
すなわち、建替対象となる電柱に張架されている電線の種類に拘わらず、仮電柱を設置することなく電柱の建替工事を安全に行うことができ、かつ工事の作業効率の向上およびコストの低減を図ることができる。
【００７４】
以上、添付図面を参照しながら本発明の好適な実施形態について説明したが、本発明はかかる実施形態に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００７５】
本発明は、電柱の建替工事のための電柱建替工具および電柱建替方法として利用することができる。
【図面の簡単な説明】
【００７６】
【図１】本実施形態にかかる電柱建替方法を説明する図である。
【図２】本実施形態にかかる電柱立替方法を説明するフローチャートである。
【図３】本実施形態にかかる電柱建替工具を説明する図である。
【図４】支柱の詳細を説明する図である。
【図５】電柱固定具の詳細を説明する図である。
【図６】保持具の詳細を説明する図である。
【図７】腕金の詳細を説明する図である。
【図８】高圧電線支持部を説明する図である。
【図９】低圧電線支持部を説明する図である。
【図１０】共架物支持部を説明する図である。
【図１１】従来の電柱建替工事を説明する図である。
【符号の説明】
【００７７】
１０…電柱、１００…電柱、１０２…電線、１０４…高圧電線、１０６…低圧電線、１０８…通信線、１０９…縒線、１２…仮電柱、２００…電柱建替工具、２１０…支柱、２１０ａ…支柱、２１０ｂ…支柱、２１０ｃ…支柱、２１０ｄ…支柱、２１２…固定穴、２２０…電柱固定具、２２２…アーム、２２２ａ…アーム、２２２ｂ…アーム、２２３…長穴、２２５…ボルト、２２６…電柱取付部、２２８…支柱取付部、２２８ａ…回転軸、２２８ｂ…固定穴、２３０…吊下げ金具、２４１…三面ローラ、２４２…ローラ、２４２ａ…ローラ、２４２ｂ…ローラ、２４２ｃ…ローラ、２４３ａ…接続板、２４３ｂ…接続板、２４４…回動部、２４５…ピン、２４７…クランプ、２４７ａ…線材、２４７ｂ…係止具、２４８ａ…線材、２４８ｂ…係止具、２５２…腕金（大）、２５４…腕金（中）、２５６…腕金（小）、２５７…ボルト穴、２５８…腕金連結金具、２５９…ボルト、２６０…バイパスケーブル支持部、２７０…環状部、２８０…伸縮部、２９０…電線支持部、２９２…高圧電線支持部、２９４…低圧電線支持部、２９６…共架物支持部
【図１】
2010041798.tif 000003
【図２】
2010041798.tif 000004
【図３】
2010041798.tif 000005
【図４】
2010041798.tif 000006
【図５】
2010041798.tif 000007
【図６】
2010041798.tif 000008
【図７】
2010041798.tif 000009
【図８】
2010041798.tif 000010
【図９】
2010041798.tif 000011
【図１０】
2010041798.tif 000012
【図１１】
2010041798.tif 000013